(57)【要約】【課題】シャッター機構の収納スペースの省スペース化を図ることができ、また、シャッター機構の強度を向上させることができ、このため防犯性に優れたものとすることができるシャッター機構および貨幣処理機を提供する。【解決手段】シャッター機構２０は、直列に配置された複数の板状部材２２、２４、２６と、板状部材２２、２４、２６同士を連結する軸部材２８、３０であって、各板状部材２２、２４、２６が軸部材２８、３０を中心として回転自在となっているような軸部材２８、３０と、貨幣口４０の開口部４１を塞ぐような閉止位置と開口部４１を開くような開口位置との間で各板状部材２２、２４、２６を移動させることができるよう各板状部材２２、２４、２６の側縁の一部または軸部材２８、３０の端部を案内する案内部３２、３４と、を備えている。【選択図】図３
2010113496.tif 000002
【特許請求の範囲】
【請求項１】
貨幣処理機に傾斜して設置され貨幣の入金および／または出金を行うための貨幣口における、上面開口部分および前面開口部分を含む開口部を開閉するためのシャッター機構であって、
直列に配置された複数の板状部材と、
前記板状部材同士を連結する軸部材であって、前記各板状部材が前記軸部材を中心として回転自在となっているような軸部材と、
前記貨幣口の前記開口部を塞ぐような閉止位置と前記開口部を開くような開口位置との間で前記各板状部材を移動させることができるよう前記各板状部材の側縁の一部または前記軸部材の端部を案内する案内部と、
を備えたことを特徴とするシャッター機構。
【請求項２】
前記板状部材は３つ以上設けられていることを特徴とする請求項１記載のシャッター機構。
【請求項３】
前記案内部は、前記貨幣口の両側部の内壁に形成された案内溝であることを特徴とする請求項１または２記載のシャッター機構。
【請求項４】
前記案内溝は、前記開口部の前記上面開口部分および前記前面開口部分に向かって凸となるような湾曲形状に配置されていることを特徴とする請求項３記載のシャッター機構。
【請求項５】
貨幣の入金および／または出金を行うための貨幣口であって、傾斜して設置され、上面開口部分および前面開口部分を含む開口部を有するような貨幣口と、
前記開口部を開閉するためのシャッター機構であって、直列に配置された複数の板状部材と、前記板状部材同士を連結する軸部材であって、前記各板状部材が前記軸部材を中心として回転自在となっているような軸部材と、前記貨幣口の前記開口部を塞ぐような閉止位置と前記開口部を開くような開口位置との間で前記各板状部材を移動させることができるよう前記各板状部材の側縁の一部または前記軸部材の端部を案内する案内部と、を有するようなシャッター機構と、
を備えたことを特徴とする貨幣処理機。
【発明の詳細な説明】
【技術分野】
【０００１】
本発明は、シャッター機構およびこのシャッター機構を備えた貨幣処理機に関し、とりわけ、シャッター機構の収納スペースの省スペース化を図ることができ、また、板状部材同士は軸部材により連結されるようになっているのでシャッター機構の強度を向上させることができ、このため防犯性に優れたものとすることができるシャッター機構およびこのシャッター機構を備えた貨幣処理機に関する。
【背景技術】
【０００２】
従来から、貨幣の入金および／または出金を行うための貨幣口が筐体の外部に露出するよう設けられ、この貨幣口がシャッター機構により選択的に閉じられるような貨幣処理機が知られている。具体的には、例えば特許文献１に開示される紙幣取扱装置において、この紙幣取扱装置には紙幣の入金および出金を行うための入出金口が筐体の外部に露出するよう傾斜して設けられており、この入出金口には、当該入出金口に投入された紙幣を筐体の内部に繰り出す際にこの入出金口を閉じるためのシャッターが設けられている。シャッターは１枚の板状部材からなり、入出金口の開口端に沿って斜め上方に上下動することで入出金口の開閉を行うようになっている。
【０００３】
【特許文献１】特許第３９５９２９７号
【発明の開示】
【発明が解決しようとする課題】
【０００４】
しかしながら、例えば特許文献１等に開示されるような従来の貨幣処理機では、入出金口が傾斜して設けられているため、この入出金口を開くような開口位置におけるシャッターの収納スペースを斜め方向に設置することが必要となり（特許文献１の図３等参照）、装置が大型化してしまうという問題がある。ここで、貨幣の入出金口を傾斜して設置するのではなく、図１４に示すように入出金口を略水平方向に延びるよう設置し、この入出金口に対して紙幣Ｓを立位状態で投入した場合には、入出金口に投入された紙幣は当該入出金口内で立位状態にあるのでこの紙幣は倒れやすくなり、入出金口内で紙幣が所望の姿勢に維持されないという問題がある。また、図１５に示すように入出金口を略鉛直方向に延びるよう設置し、この入出金口に対して紙幣Ｓを横方向に投入した場合でも、シャッターが開いたときに紙幣の束が前方に（操作者側に）向かって倒れやすくなるという問題がある。
【０００５】
また、装置の大型化を抑制するために、傾斜して設けられた入出金口に、図１６に示すようなジャバラ状のシャッター９０（面状のゴム板に多数の直線状に延びる剛性部材を取り付けたようなシャッター）を設けることも考えられるが、ジャバラ状のシャッター９０では屈曲部分はゴム板から形成されるためこの屈曲部分の強度が弱くなってしまい、防犯性に劣るという問題がある。
【０００６】
本発明は、このような点を考慮してなされたものであり、シャッター機構の収納スペースの省スペース化を図ることができ、また、板状部材同士は軸部材により連結されるようになっているのでシャッター機構の強度を向上させることができ、このため防犯性に優れたものとすることができるシャッター機構およびこのシャッター機構を備えた貨幣処理機に関する。
【課題を解決するための手段】
【０００７】
本発明のシャッター機構は、貨幣処理機に傾斜して設置され貨幣の入金および／または出金を行うための貨幣口における、上面開口部分および前面開口部分を含む開口部を開閉するためのシャッター機構であって、直列に配置された複数の板状部材と、前記板状部材同士を連結する軸部材であって、前記各板状部材が前記軸部材を中心として回転自在となっているような軸部材と、前記貨幣口の前記開口部を塞ぐような閉止位置と前記開口部を開くような開口位置との間で前記各板状部材を移動させることができるよう前記各板状部材の側縁の一部または前記軸部材の端部を案内する案内部と、を備えたことを特徴とする。
【０００８】
本発明のシャッター機構によれば、シャッター機構は、直列に配置された複数の板状部材と、板状部材同士を連結する軸部材とを有しており、各板状部材が軸部材を中心として回転自在となっているので、貨幣口の開口部を塞ぐような閉止位置と開口部を開くような開口位置との間で各板状部材をスムーズに移動させることができる。このため、シャッター機構が貨幣口の開口部を閉じていないときには例えば略水平方向に延びる収納スペースに複数の板状部材を収納させることができるようになり、このことにより、シャッター機構の収納スペースの省スペース化を図ることができる。また、板状部材同士は軸部材により連結されるようになっているので、面状のゴム板に多数の直線状に延びる剛性部材を取り付けたようなジャバラ状のシャッターと比較して、板状部材同士を連結させた場合には強度の弱い部分がなくなるためシャッター機構の強度を向上させることができ、このため防犯性に優れたものとすることができる。
【０００９】
本発明のシャッター機構においては、前記板状部材は３つ以上設けられていることが好ましい。板状部材の数が３つ以上であれば、シャッター機構の開閉時に各板状部材が貨幣口の開口部の前面開口部分よりも手前側（操作者側）に飛び出すことがなく、シャッター機構の開閉時に移動する各板状部材が操作者の操作の邪魔にならない。
【００１０】
本発明のシャッター機構においては、前記案内部は、前記貨幣口の両側部の内壁に形成された案内溝であることが好ましい。
【００１１】
本発明のシャッター機構においては、前記案内溝は、前記開口部の前記上面開口部分および前記前面開口部分に向かって凸となるような湾曲形状に配置されていることが好ましい。このことにより、シャッター機構の開閉時に各板状部材が貨幣口の開口部の前面開口部分よりも手前側（操作者側）に飛び出すことがなく、シャッター機構の開閉時に移動する各板状部材が操作者の操作の邪魔にならない。
【００１２】
本発明の貨幣処理機は、貨幣の入金および／または出金を行うための貨幣口であって、傾斜して設置され、上面開口部分および前面開口部分を含む開口部を有するような貨幣口と、前記開口部を開閉するためのシャッター機構であって、直列に配置された複数の板状部材と、前記板状部材同士を連結する軸部材であって、前記各板状部材が前記軸部材を中心として回転自在となっているような軸部材と、前記貨幣口の前記開口部を塞ぐような閉止位置と前記開口部を開くような開口位置との間で前記各板状部材を移動させることができるよう前記各板状部材の側縁の一部または前記軸部材の端部を案内する案内部と、を有するようなシャッター機構と、を備えたことを特徴とする。
【００１３】
本発明の貨幣処理機によれば、上述のようなシャッター機構を備えたことにより、貨幣処理機に設けられるシャッター機構の収納スペースの省スペース化を図ることができ、また、板状部材同士は軸部材により連結されるようになっているのでシャッター機構の強度を向上させることができ、このため防犯性に優れたものとすることができる。
【発明の効果】
【００１４】
本発明のシャッター機構および貨幣処理機によれば、シャッター機構の収納スペースの省スペース化を図ることができ、また、板状部材同士は軸部材により連結されるようになっているのでシャッター機構の強度を向上させることができ、このため防犯性に優れたものとすることができる。
【発明を実施するための最良の形態】
【００１５】
以下、図面を参照して本発明の一の実施の形態について説明する。図１乃至図５は、本実施の形態に係る紙幣処理機およびこの紙幣処理機に設けられたシャッター機構を示す図である。このうち、図１は、本実施の形態における紙幣処理機の外観を示す斜視図であり、図２は、図１に示す紙幣処理機における貨幣口およびこの貨幣口に設けられたシャッター機構の具体的な構成を示す斜視図である。また、図３は、図２に示すシャッター機構が貨幣口の開口部を塞ぐような閉止位置にあるときの側断面図であり、図４は、図２に示すシャッター機構が貨幣口の開口部を開くような開口位置にあるときの側断面図であり、図５は、図２に示すシャッター機構が図３に示す閉止位置から図４に示す開口位置に移動する途中の状態における側断面図である。なお、図３における参照符号Ｓは紙幣を示す。
【００１６】
図１に示すように、紙幣処理機１０は略直方体形状の筐体１２を備えており、この筐体１２には、紙幣の入金および出金を行うための貨幣口（入出金口）４０が設けられている。ここで、図４に示すように、貨幣口４０は筐体１２の外部に露出するよう紙幣処理機１０に傾斜して設置されている。また、貨幣口４０は、図１および図４に示すように、上面開口部分４２および前面開口部分４４を有している。これらの上面開口部分４２および前面開口部分４４により、貨幣口４０の開口部４１が形成されている。また、貨幣口４０には、当該貨幣口４０の開閉を行うシャッター機構２０が設けられている。
【００１７】
図２等に示すように、シャッター機構２０は、直列に配置された３つの板状部材２２、２４、２６と、第１の板状部材２２および第２の板状部材２４を連結する第１の軸部材２８と、第２の板状部材２４および第３の板状部材２６を連結する第２の軸部材３０とを有している。ここで、第１の板状部材２２および第２の板状部材２４は第１の軸部材２８を中心として回転自在となっており、また、第２の板状部材２４および第３の板状部材２６は第２の軸部材３０を中心として回転自在となっている。また、シャッター機構２０が貨幣口４０の開口部４１を塞ぐような閉止位置（図３参照）にあるときに、第１の板状部材２２および第２の板状部材２４は開口部４１の前面開口部分４４を塞ぎ、第３の板状部材２６は上面開口部分４２を塞ぐようになっている。
【００１８】
また、貨幣口４０には、第１の軸部材２８を案内する第１の案内溝３２と、第２の軸部材３０を案内する第２の案内溝３４とがそれぞれ設けられている。より具体的には、第１の案内溝３２および第２の案内溝３４はそれぞれ貨幣口４０の両側部における内壁に左右一対となるよう形成されており、第１の軸部材２８および第２の軸部材３０の両端部がそれぞれ第１の案内溝３２および第２の案内溝３４に嵌るようになっている。更に詳細には、貨幣口４０の開口部４１を塞ぐような閉止位置（図３参照）と、貨幣口４０の開口部４１を開くような開口位置（図４参照）との間で各板状部材２２、２４、２６をスムーズに案内することができるよう、第１の案内溝３２が第１の軸部材２８を案内するとともに第２の案内溝３４が第２の軸部材３０を案内するようになっている。
【００１９】
ここで、図３乃至図５に示すように、第１の案内溝３２は、貨幣口４０の開口部４１の上面開口部分４２および前面開口部分４４に向かって凸となるような湾曲形状に形成されている。第１の案内溝３２が上述のような構成となっていることにより、シャッター機構２０の開閉時に各板状部材２２、２４、２６が貨幣口４０の開口部４１の前面開口部分４４よりも手前側（操作者側、図３の左側）に飛び出すことがなく、シャッター機構２０の開閉時に移動する各板状部材２２、２４、２６が操作者の操作の邪魔にならない。一方、第２の案内溝３４は、貨幣口４０の開口部４１の上面開口部分４２に沿って略水平方向に延びるよう形成されている。
【００２０】
図３等に示すように、貨幣口４０には、紙幣Ｓが傾斜状態で載置される板状のステージ４６が設けられている。このステージ４６は斜め上方方向に沿って（図３の右上方向に）昇降することができるようになっている。また、ステージ４６の近傍には、当該ステージ４６に載置される紙幣Ｓの側縁を案内するホッパーガイド部材４８が設けられている。紙幣の入金の際には、貨幣口４０のステージ４６上に積層状態で載置された複数の紙幣が、当該ステージ４６の上方に設けられた紙幣繰出機構により筐体１２の内部に１枚ずつ繰り出されるようになっている。また、紙幣の出金の際には、筐体１２の内部からステージ４６に向かって紙幣が１枚ずつ送られるようになっている。
【００２１】
次に、上述のような構成からなるシャッター機構２０の動作について説明する。紙幣処理機１０において、通常時は図３に示すように貨幣口４０の開口部４１がシャッター機構２０により塞がれており、貨幣口４０に紙幣を投入したり貨幣口４０から紙幣を取り出したりすることができないようになっている。この際に、貨幣口４０の開口部４１の前面開口部分４４はシャッター機構２０の第１の板状部材２２および第２の板状部材２４により塞がれており、上面開口部分４２は第３の板状部材２６により塞がれている。
【００２２】
一方、紙幣処理機１０への紙幣の入金時や紙幣処理機１０からの紙幣の出金時には、シャッター機構２０は図３に示すような閉止位置から図４に示すような開口位置まで移動する。より具体的には、シャッター機構２０の第３の板状部材２６が紙幣処理機１０の奥側へ移動するよう（図３の右側へ移動するよう）駆動され、第１の軸部材２８が第１の案内溝３２に沿って移動させられるとともに第２の軸部材３０が第２の案内溝３４に沿って移動させられる。このことにより、図５に示すように、第１の軸部材２８が斜め上方奥側（図５の右上方向）に移動させられるとともに、第２の軸部材３０が奥側（図５の右方向）に移動させられ、第３の板状部材２６、第２の板状部材２４および第１の板状部材２２が順に貨幣口４０の奥側（図５の右側）にある収納スペース４９に収納させられることとなる。このようにして、最終的に、図４に示すように、各板状部材２２、２４、２６は全て貨幣口４０の奥側にある収納スペース４９に収納させられ、貨幣口４０の開口部４１が開くこととなる。その後、操作者は貨幣口４０のステージ４６上に紙幣を載置したり、ステージ４６上にある紙幣を取り出したりすることができるようになる。
【００２３】
以上のように本実施の形態のシャッター機構２０およびこのシャッター機構２０を備えた紙幣処理機１０によれば、シャッター機構２０は、直列に配置された複数、具体的には例えば３つの板状部材２２、２４、２６と、板状部材２２、２４、２６同士を連結する軸部材２８、３０とを有しており、各板状部材２２、２４、２６が軸部材２８、３０を中心として回転自在となっているので、貨幣口４０の開口部４１を塞ぐような閉止位置（図３参照）と開口部４１を開くような開口位置（図４参照）との間で各板状部材２２、２４、２６をスムーズに移動させることができる。このため、シャッター機構２０が貨幣口４０の開口部４１を閉じていないときには貨幣口４０の奥側（図３の右側）に設けられた略水平方向に延びる収納スペース４９に３つの板状部材２２、２４、２６を収納させることができるようになり、このことにより、シャッター機構２０の収納スペース４９の省スペース化を図ることができる。また、板状部材２２、２４、２６同士は軸部材２８、３０により連結されるようになっているので、面状のゴム板に多数の直線状に延びる剛性部材を取り付けたようなジャバラ状のシャッター９０（図１６参照）と比較して、板状部材２２、２４、２６同士を連結させた場合には強度の弱い部分がなくなるのでシャッター機構２０の強度を向上させることができ、このため防犯性に優れたものとすることができる。
【００２４】
なお、本実施の形態によるシャッター機構およびこのシャッター機構を備えた紙幣処理機は、上記の態様に限定されることはなく、様々な変更を加えることができる。例えば、板状部材の数は３つに限定されることはなく、板状部材の数が複数であれば、板状部材の数を２つとしたり４つ以上としたりすることができる。なお、板状部材の数が３つ以上であれば、シャッター機構の開閉時に各板状部材が貨幣口の開口部の前面開口部分よりも手前側（操作者側、図３の左側）に飛び出すことがなく、シャッター機構の開閉時に移動する各板状部材が操作者の操作の邪魔にならないという利点がある。
【００２５】
また、貨幣口の開口部を塞ぐような閉止位置と開口部を開くような開口位置との間で各板状部材を移動させることができる案内溝は、各軸部材の端部を案内するものに限定されることはない。他の例としては、各板状部材の両側の側縁がそれぞれ部分的に突出しており、この各板状部材の各側縁に設けられた突出部が案内溝に嵌められ、このことにより突出部が案内溝により案内されるようになっていてもよい。また、案内部は、軸部材の端部や各板状部材の側縁に形成された突出部が嵌合される溝に限定されるものではなく、軸部材の端部や各板状部材の側縁に形成された突出部を案内することができるものであれば他の構成のものであってもよい。
【００２６】
また、紙幣処理機に設けられ、シャッター機構により開口部が開閉される貨幣口は紙幣の入金および出金を行うためのものに限定されることはなく、紙幣の入金のみ、あるいは紙幣の出金のみを行うことができるものであってもよい。
【００２７】
また、本発明による貨幣処理機は図１乃至図５に示すような紙幣処理機に限定されることはなく、硬貨の処理を行う硬貨処理機であってもよい。この場合、貨幣口は硬貨の入金および／または出金を行うために用いられることとなる。
【００２８】
次に、図１に示すような紙幣処理機の貨幣口の他の構成について図６乃至図１０を用いて説明する。ここで、図６は、図１に示す紙幣処理機の貨幣口の他の構成を示す側断面図であり、図７は、図６に示す貨幣口をＡ−Ａ矢視方向から見た正面図である。また、図８は、図６に示す貨幣口に設けられた異物排除機構の具体的な構成を示す側断面図であって、異物排除機構が閉位置にあるときの状態を示す図である。また、図９は、図６に示す貨幣口に設けられた異物排除機構の具体的な構成を示す側断面図であって、異物排除機構が開位置にあるときの状態を示す図である。また、図１０は、図８および図９に示す異物排除機構の正面図である。なお、図６乃至図１０に示す貨幣口の他の構成について、図１乃至図５に示す貨幣口と同一の構成要素については同一の参照符号を付し、その説明は省略する。また、図８における参照符号Ｓは紙幣を示す。
【００２９】
図６乃至図１０に示す貨幣口５０は、貨幣の入金を行うための入金口または貨幣の入金および出金を行うための入出金口として用いられるようになっている。図６に示す貨幣口５０において、ホッパーガイド部材４８の下部には異物排除口５２が設けられている。図７に示すように、この異物排除口５２は、ホッパーガイド部材４８の幅方向（図７の左右方向）に沿って複数設けられている。各異物排除口５２の下方には、これらの異物排除口５２を介してホッパーガイド部材４８から下方に落下した異物を搬送するためのベルトコンベア５４が設けられている。ベルトコンベア５４は、図６の紙面に直交して延びるよう構成されている。すなわち、ベルトコンベア５４は図７の左右方向に延びるよう構成されている。また、ベルトコンベア５４の周囲には、異物排除口５２を介してホッパーガイド部材４８から下方に落下した異物が散乱することを防止するためのベルトコンベア包囲部５６がベルトコンベア５４を取り囲むよう設けられている。
【００３０】
ホッパーガイド部材４８の下部に異物排除口５２が設けられており、この異物排除口５２の下方にベルトコンベア５４が設けられていることにより、操作者が貨幣口５０に紙幣の束を投入する際にこの紙幣の束に硬貨やクリップ等の異物が混じっている場合でも、この異物は異物排除口５２を介してホッパーガイド部材４８から下方に落下し、ベルトコンベア５４に異物が送られる。そして、この異物はこのベルトコンベア５４により紙幣処理機１０の筐体１２に設けられたリジェクト口（図示せず）に戻されることとなる。
【００３１】
また、図６に示すように、ホッパーガイド部材４８の上部には異物排除機構６０が設けられている。この異物排除機構６０は、下部ガイド部材６２と、上部ガイド部材６４とから構成されている。図８および図９に、異物排除機構６０の下部ガイド部材６２および上部ガイド部材６４の具体的な構成を示す。なお、異物排除機構６０の下部ガイド部材６２および上部ガイド部材６４は、図８に示すような閉位置と、図９に示すような開位置との間でそれぞれ移動するようになっている。
【００３２】
より具体的に説明すると、異物排除機構６０の下部ガイド部材６２は、ホッパーガイド部材４８の上部の延長上に設けられており、異物排除機構６０が図８に示すような閉位置にあるときにおいて、下部ガイド部材６２の延びる方向はホッパーガイド部材４８の延びる方向と略同一となっている。一方、異物排除機構６０が図９に示すような開位置となったときには、下部ガイド部材６２はその下端（図８における左下端）を中心として図８の時計回りの方向に回転し、下部ガイド部材６２の上端（図８における右上端）が下降する。
【００３３】
また、異物排除機構６０の上部ガイド部材６４は、ステージ４６上の紙幣を筐体１２の内部に１枚ずつ繰り出すための紙幣繰出機構のフィードローラ６６の近傍に設けられている。異物排除機構６０が図８に示すような閉位置にあるときにおいて、上部ガイド部材６４は、紙幣繰出機構のフィードローラ６６および対向ローラ６８の間に形成されたニップ部に沿って配置されている。一方、異物排除機構６０が図８に示すような閉位置から図９に示すような開位置となったときには、上部ガイド部材６４は図８における右端を中心として図８の反時計回りの方向に回転し、上部ガイド部材６４の図８における左端が下降する。この際に、図９に示すように、下部ガイド部材６２の上端および上部ガイド部材６４の左端が接近し、これらの下部ガイド部材６２および上部ガイド部材６４の上方に異物排除空間Ｒが形成される。この異物排除空間Ｒに硬貨やクリップ等の異物が入った場合には、異物排除機構６０が図９に示すような開位置にある限り、異物排除空間Ｒ内から異物が出されることはない。
【００３４】
図６乃至図１０に示すような貨幣口５０において、シャッター機構２０により貨幣口５０の開口部が閉じられておらず、操作者が紙幣を貨幣口５０に投入したり貨幣口５０から紙幣を取り出したりすることができるような状態の場合には、ステージ４６は下部に位置しており、異物排除機構６０は図８に示すような閉位置にある。
【００３５】
一方、シャッター機構２０により貨幣口５０の開口部が閉じられ、貨幣口５０から筐体１２の内部にステージ４６上の紙幣が繰り出されるときに、ステージ４６が紙幣繰出機構に向かって上昇するとともに異物排除機構６０は図９に示すような開位置に移動する。この際に、異物排除機構６０の下部ガイド部材６２および上部ガイド部材６４はそれぞれ図８に示すような閉位置から下方に移動し、これらの下部ガイド部材６２および上部ガイド部材６４の上方には異物排除空間Ｒが形成される。
【００３６】
ここで、操作者が貨幣口５０に紙幣の束を投入する際にこの紙幣の束に硬貨やクリップ等の異物が混じっており、この異物が異物排除口５２を介してホッパーガイド部材４８から下方に落下しなかった場合でも、ステージ４６が紙幣繰出機構に向かって上昇した際に紙幣の束に混じった異物は異物排除機構６０の下部ガイド部材６２および上部ガイド部材６４の上方に形成された異物排除空間Ｒに留まることとなる。そして、ステージ４６上の紙幣が紙幣繰出機構により筐体１２の内部に１枚ずつ繰り出されたときにも、異物排除空間Ｒにある異物は筐体１２の内部に繰り出されることはない。このため、紙幣の束に混じった異物が筐体１２の内部に送られ、筐体１２の内部にある紙幣搬送部等の様々な機構にトラブルが生じることを防止することができる。
【００３７】
ステージ４６上の紙幣が全て紙幣繰出機構により筐体１２の内部に繰り出された後、ステージ４６は下降して図６や図７に示すような下部の位置に戻り、異物排除機構６０は図９に示すような開位置から図８に示すような閉位置に移動する。このことにより、異物排除空間Ｒがなくなるので、この異物排除空間Ｒにある異物はホッパーガイド部材４８に沿って落下し、最終的にホッパーガイド部材４８に形成された異物排除口５２に入る。その後、異物排除口５２に入った異物はホッパーガイド部材４８から下方に落下し、ベルトコンベア５４にこの異物が送られる。そして、この異物はこのベルトコンベア５４により紙幣処理機１０の筐体１２に設けられたリジェクト口（図示せず）に戻される。
【００３８】
以上のように、図６乃至図１０に示す貨幣口（入金口）５０は、斜め上方方向に昇降を行うステージ４６と、ステージ４６の昇降方向に沿って斜め上方方向に延び、このステージ４６に載置される紙幣の側縁を案内するホッパーガイド部材４８と、ホッパーガイド部材４８の上部に設けられ、ステージ４６が下部位置にあるときには閉位置にあり、ステージ４６が上昇した際に閉位置から開位置に移動するような異物排除機構６０とを備え、異物排除機構６０は、閉位置から開位置に移動したときに当該異物排除機構６０の上方に硬貨やクリップ等の異物を収容する異物排除空間Ｒを形成するようになっている。ここで、異物排除空間Ｒは、当該異物排除空間Ｒに異物が収容されたときに、この異物が異物排除空間Ｒから出ないよう構成されている。また、異物排除機構６０が開位置から閉位置に移動したときに、異物排除空間Ｒは無くなるようになっている。
【００３９】
上述のような貨幣口５０によれば、当該貨幣口５０に投入される紙幣の束に硬貨やクリップ等の異物が混じっている場合であっても、ステージ４６上の紙幣を筐体１２の内部に繰り出す際にステージ４６が上昇したときに異物排除機構６０が閉位置から開位置に移動することにより異物排除機構６０の上方に異物排除空間Ｒが形成され、紙幣の束に混じった異物はこの異物排除空間Ｒに収容されることとなる。そして、ステージ４６上の紙幣が全て筐体１２の内部に繰り出された後、ステージ４６が下降して下部の位置に戻るとともに、異物排除機構６０は開位置から閉位置に移動する。このことにより、異物排除空間Ｒがなくなるので、この異物排除空間Ｒにある異物はホッパーガイド部材４８に沿って落下する。このようにして、貨幣口５０に投入される紙幣の束に硬貨やクリップ等の異物が混じっている場合であっても、この異物が筐体１２の内部に送られることを防止することができ、このことにより筐体１２の内部にある紙幣搬送部等の様々な機構にトラブルが生じることを防止することができる。
【００４０】
次に、図１に示すような紙幣処理機の貨幣口の更に他の構成について図１１乃至図１３を用いて説明する。ここで、図１１は、図１に示す紙幣処理機の貨幣口の更に他の構成を示す正面図であり、図１２は、図１１に示す貨幣口の側断面図である。また、図１３は、図１２に示す貨幣口の側断面図において、ステージを上部位置から下降させたときの状態を示す図である。なお、図１１乃至図１３に示す貨幣口の更に他の構成について、図１乃至図５に示す貨幣口、または図６乃至図１０に示す貨幣口と同一の構成要素については同一の参照符号を付し、その説明は省略する。
【００４１】
図１１乃至図１３に示す貨幣口７０は、貨幣の出金を行うための出金口または貨幣の入金および出金を行うための入出金口として用いられるようになっている。図１１に示す貨幣口７０において、ホッパーガイド部材４８の幅方向における中央位置には左右一対の札立ち防止ベルト７２が設けられている。各札立ち防止ベルト７２はステージ４６の昇降方向に沿って延びるよう（図１１の上下方向に延びるよう）設けられている。各札立ち防止ベルト７２は、図１２に示すように、上部ローラ７４および下部ローラ７６により張架された循環ゴムベルトから構成されている。ここで、上部ローラ７４および下部ローラ７６には駆動モータが設けられておらず、これらの上部ローラ７４および下部ローラ７６は自由回転するようになっている。このように、札立ち防止ベルト７２を循環移動させるための駆動源は設置されていない。
【００４２】
また、ステージ４６におけるホッパーガイド部材４８側の端部には固定ローラ８０が取り付けられている。図１２に示すように、この固定ローラ８０はステージ４６の下部に設置されている。また、図１２に示す位置からステージ４６が上昇し、このステージ４６が札立ち防止ベルト７２に対向する位置に移動したときに、このステージ４６に取り付けられた固定ローラ８０が札立ち防止ベルト７２に当接し、固定ローラ８０と札立ち防止ベルト７２との間に摩擦力が働くことによってステージ４６の移動に伴って札立ち防止ベルト７２も循環移動することとなる。すなわち、図１３に示すように、ステージ４６が札立ち防止ベルト７２に対向する位置にあるときに、このステージ４６が下降すると、札立ち防止ベルト７２もステージ４６の動きに同期して図１３の矢印方向に循環移動する。
【００４３】
図１１乃至図１３に示すような構成からなる貨幣口７０の動作について説明する。紙幣処理機１０から紙幣の出金を行う際に、ステージ４６が紙幣繰出機構の近傍における上部の位置にあるような状態で、筐体１２の内部から貨幣口７０に紙幣が１枚ずつ繰り出される。この貨幣口７０に繰り出された紙幣はステージ４６上に積層状態で集積される。その後、筐体１２の内部から貨幣口７０のステージ４６上への紙幣の繰り出しが終了すると、ステージ４６が下降し、このステージ４６は図１２に示すような下部の位置に移動する。その後、シャッター機構２０が退避して貨幣口７０の開口部が開けられることにより、操作者は貨幣口７０にある紙幣を取り出すこととなる。
【００４４】
ここで、仮に、貨幣口７０に札立ち防止ベルト７２が設けられていなかった場合には、筐体１２の内部から貨幣口７０のステージ４６上への紙幣の繰り出しが終了し、ステージ４６が下降した際に、このステージ４６上に集積される複数の紙幣のうち最上位にある紙幣は、その側縁とホッパーガイド部材４８との間で摩擦力が働くことにより、ステージ４６の下降に同期して紙幣の側縁がホッパーガイド部材４８に沿って下降することができず、紙幣のホッパーガイド部材４８側の側縁が持ち上がり立ってしまうおそれがある。この場合には、ステージ４６が図１２に示すような下部の位置に移動したときに、ステージ４６上で紙幣が積層状態に整然と集積されず、ステージ４６上で紙幣が乱雑な状態となってしまうおそれがある。
【００４５】
これに対して、図１１乃至図１３に示すような貨幣口７０では、札立ち防止ベルト７２が設けられているので、ステージ４６が下降する際に、札立ち防止ベルト７２もステージ４６の動きに同期して図１３の矢印方向に自動的に循環移動する。このため、ステージ４６上に集積される紙幣のホッパーガイド部材４８側の側縁も札立ち防止ベルト７２によりステージ４６の下降に同期して強制的に下方に移動させられることとなる。このため、ステージ４６が下降する際に紙幣がステージ４６上で立ってしまうことが防止される。
【００４６】
以上のように、図１１乃至図１３に示す貨幣口（出金口）７０は、斜め上方方向に昇降を行うステージ４６と、ステージ４６の昇降方向に沿って斜め上方方向に延び、このステージ４６に載置される紙幣の側縁を案内するホッパーガイド部材４８と、ホッパーガイド部材４８に設置され、ステージ４６の昇降方向に沿って延びる循環ベルトからなる札立ち防止ベルト（札立ち防止部材）７２と、ステージ４６に取り付けられ、このステージ４６が札立ち防止ベルト７２に対向したときに当該札立ち防止ベルト７２に当接する固定ローラ（固定部材）８０とを備え、固定ローラ８０が札立ち防止ベルト７２に当接したときにステージ４６が下降すると札立ち防止ベルト７２も同期して循環移動するようになっている。
【００４７】
上述のような貨幣口７０によれば、ステージ４６が下降する際に、固定ローラ８０が札立ち防止ベルト７２に当接することによりこの札立ち防止ベルト７２もステージ４６の動きに同期して図１３の矢印方向に自動的に循環移動する。このため、ステージ４６上に集積される紙幣のホッパーガイド部材４８側の側縁も札立ち防止ベルト７２によりステージ４６の下降に同期して強制的に下方に移動させられることとなる。このことにより、ステージ４６が下降する際に紙幣がステージ４６上で立ってしまうことを防止することができ、操作者が貨幣口７０から紙幣の束を取り出す際にステージ４６上で紙幣が積層状態に整然と集積された状態で紙幣の束を取り出すことができる。
【図面の簡単な説明】
【００４８】
【図１】本発明の一の実施の形態における紙幣処理機の外観を示す斜視図である。
【図２】図１に示す紙幣処理機における貨幣口およびこの貨幣口に設けられたシャッター機構の具体的な構成を示す斜視図である。
【図３】図２に示すシャッター機構が貨幣口の開口部を塞ぐような閉止位置にあるときの側断面図である。
【図４】図２に示すシャッター機構が貨幣口の開口部を開くような開口位置にあるときの側断面図である。
【図５】図２に示すシャッター機構が図３に示す閉止位置から図４に示す開口位置に移動する途中の状態における側断面図である。
【図６】図１に示す紙幣処理機の貨幣口の他の構成を示す側断面図である。
【図７】図６に示す貨幣口をＡ−Ａ矢視方向から見た正面図である。
【図８】図６に示す貨幣口に設けられた異物排除機構の具体的な構成を示す側断面図であって、異物排除機構が閉位置にあるときの状態を示す図である。
【図９】図６に示す貨幣口に設けられた異物排除機構の具体的な構成を示す側断面図であって、異物排除機構が開位置にあるときの状態を示す図である。
【図１０】図８および図９に示す異物排除機構の正面図である。
【図１１】図１に示す紙幣処理機の貨幣口の更に他の構成を示す正面図である。
【図１２】図１１に示す貨幣口の側断面図である。
【図１３】図１２に示す貨幣口の側断面図において、ステージを上部位置から下降させたときの状態を示す図である。
【図１４】従来の貨幣処理機において入出金口を略水平方向に延びるよう設置し、この入出金口に対して紙幣を立位状態で投入したときの状態を示す構成図である。
【図１５】従来の貨幣処理機において入出金口を略鉛直方向に延びるよう設置し、この入出金口に対して紙幣を横方向に投入したときの状態を示す構成図である。
【図１６】従来の貨幣処理機に設けられたジャバラ状のシャッターの構成を示す斜視図である。
【符号の説明】
【００４９】
１０    紙幣処理機
１２    筐体
２０    シャッター機構
２２    第１の板状部材
２４    第２の板状部材
２６    第３の板状部材
２８    第１の軸部材
３０    第２の軸部材
３２    第１の案内溝
３４    第２の案内溝
４０    貨幣口
４１    開口部
４２    上面開口部分
４４    前面開口部分
４６    ステージ
４８    ホッパーガイド部材
４９    収納スペース
５０    貨幣口
５２    異物排除口
５４    ベルトコンベア
５６    ベルトコンベア包囲部
６０    異物排除機構
６２    下部ガイド部材
６４    上部ガイド部材
６６    フィードローラ
６８    対向ローラ
７０    貨幣口
７２    札立ち防止ベルト
７４    上部ローラ
７６    下部ローラ
８０    固定ローラ
９０    ジャバラ状のシャッター
Ｓ      紙幣
Ｒ      異物排除空間
【図１】
2010113496.tif 000003
【図２】
2010113496.tif 000004
【図３】
2010113496.tif 000005
【図４】
2010113496.tif 000006
【図５】
2010113496.tif 000007
【図６】
2010113496.tif 000008
【図７】
2010113496.tif 000009
【図８】
2010113496.tif 000010
【図９】
2010113496.tif 000011
【図１０】
2010113496.tif 000012
【図１１】
2010113496.tif 000013
【図１２】
2010113496.tif 000014
【図１３】
2010113496.tif 000015
【図１４】
2010113496.tif 000016
【図１５】
2010113496.tif 000017
【図１６】
2010113496.tif 000018